(57)【要約】【目的】ディジタル放送受信装置が受信したＵＲＩをユーザに手間をかけさせることなくパーソナルコンピュータ等に与えて、当該パーソナルコンピュータ等の機能でコンテンツの閲覧を何時でも行うことができるようにする。【構成】ディジタル放送受信装置３０はデータ放送を受信する。ＣＰＵ１３（ブラウザ）は、データ放送において受信したＢＭＬ文書内にＵＲＩ情報の送信記述が存在する場合、引数としてＵＲＩ情報をデータ送信関数に与える。このデータ送信関数の処理により、ＵＲＩ送信機２１はインターフェイス２２を介してＣＰＵ１３から受け取ったＵＲＩ情報を送信する。情報処理装置（パーソナルコンピュータ，ＰＤＡ，携帯電話等）５０側にも同規格のＵＲＩ受信機５１が設けられており、このＵＲＩ受信機５１は受信したＵＲＩ情報をインターフェイス５２を介してＣＰＵ５３に伝送する。【選択図】        図２
2005027143.tif 000002
【特許請求の範囲】
【請求項１】
受信したディジタルデータ放送からデータを抽出するデータ抽出手段と、抽出されたデータからＵＲＩ情報を検出するＵＲＩ情報検出手段と、検出されたＵＲＩ情報のデータを保持する手段と、ＵＲＩ情報のデータを送信する送信手段と、を備えたことを特徴とするディジタル放送受信装置。
【請求項２】
請求項１に記載のディジタル放送受信装置において、前記抽出されたデータの記述により指定されたボタンがユーザによって操作されたときにＵＲＩ情報のデータを送信することを特徴とするディジタル放送受信装置。
【請求項３】
請求項１又は請求項２に記載のディジタル放送受信装置と情報処理装置とから成るＵＲＩ転送システムであって、前記情報処理装置は、前記ディジタル放送受信装置から送信されてきたＵＲＩ情報のデータを受信する受信手段と、受信したＵＲＩ情報のデータをメモリに記憶する記憶手段と、を備えていることを特徴とするＵＲＩ転送システム。
【請求項４】
請求項３に記載のＵＲＩ転送システムにおいて、前記情報処理装置は、ネットワーク接続環境と、ＵＲＩ情報をネットワーク上に送出する手段と、ネットワークを介して受信したファイルを閲覧するための閲覧手段と、を備えていることを特徴とするＵＲＩ転送システム。
【発明の詳細な説明】
【０００１】
【産業上の利用分野】
この発明は、ディジタル放送受信装置及びＵＲＩ転送システムに関する。
【０００２】
【従来の技術】
ディジタルＢＳ／１１０°ＣＳ放送では、番組連動型データ放送中において番組に連動したデータ放送コンテンツを閲覧することが可能である。しかし、番組が切り替わったときには前記コンテンツの閲覧を継続することはできなくなる。このため、番組映像中に詳細情報の閲覧先としてＷＷＷのＵＲＩ（Ｕｎｉｆｏｒｍ  Ｒｅｓｏｕｒｃｅ  Ｉｄｅｎｔｉｆｉｅｒ  ）を提示する場合がある。視聴者は前記ＵＲＩをネットワーク接続環境を備える情報処理装置（パーソナルコンピュータ，ＰＤＡ、携帯電話等）に入力することで、番組終了後も前記情報処理装置にて情報閲覧をすることが可能になる。この場合、ユーザはＵＲＩの提示中に前記情報処理装置にＵＲＩを手入力するか、メモを取るかしなければならず、ユーザにとって煩わしいものとなる。
【０００３】
一方、地上ディジタル放送では、上述のような問題、すなわち、番組が切り替わると前の番組で放送されていたデータ放送コンテンツを視聴できなくなるといった問題を解決するために、ディジタル放送受信装置がインターネットや電話回線等のネットワークを利用して通信サーバ上のデータ放送用コンテンツにアクセスをするといった方法が取られる。すなわち、データ放送において放送からデータ放送用コンテンツを取得するのではなく、通信を利用して通信サーバからデータ放送用コンテンツを取得する。このようなコンテンツに対しいわゆるブックマーク登録を行うことで、番組が終了してもコンテンツの閲覧が何時でも可能になる。なお、ディジタル放送を受信してブックマーク登録を行う技術が下記特許文献１に開示されている。
【０００４】
【特許文献１】
特開２００１−３４６１８８号公報
【０００５】
【発明が解決しようとする課題】
しかしながら、上記コンテンツはデータ放送で用いられている記述言語であるＢＭＬにて作成しなければならない。ＢＭＬはデータ放送に特化した記述言語であり、放送事業者ぐらいしか用いることがないためＨＴＭＬのようにエディタ等が普及することはなく、エディタは高価になる。また、記述に関してもデータ放送に関連した広い知識を必要としなければならないため、そのようなデータ放送コンテンツデザイナは限られてくる。このため、通信サーバ上にＢＭＬで記述されたデータ放送用のコンテンツが数多く作られるとは考え難い。
【０００６】
このような状況から、番組に連動した情報の閲覧は番組放送中に提示したＵＲＩを用いてインターネットのサーバ上にあるＨＴＭＬコンテンツをパーソナルコンピュータ等のＨＴＭＬブラウザにて閲覧する形式が多くなるものと考えられる。しかしながら、先に述べたように、受信装置の画面に提示されたＵＲＩをユーザが手入力することは煩わしく、ＣＭのように数十秒程度しか放送時間がないような場合は、ＵＲＩを入力するのは非常に困難である。
【０００７】
この発明は、上記の事情に鑑み、ディジタル放送受信装置が受信したＵＲＩをユーザに手間をかけさせることなくパーソナルコンピュータ等に与えて、当該パーソナルコンピュータ等の機能でコンテンツの閲覧を何時でも行うことができるようにすることを目的とする。
【０００８】
【課題を解決するための手段】
この発明のディジタル放送受信装置は、上記課題を解決するために、受信したディジタルデータ放送からデータを抽出するデータ抽出手段と、抽出されたデータからＵＲＩ情報を検出するＵＲＩ情報検出手段と、検出されたＵＲＩ情報のデータを保持する手段と、ＵＲＩ情報のデータを送信する送信手段と、を備えたことを特徴とする。
【０００９】
上記の構成であれば、ＵＲＩ情報のデータをパーソナルコンピュータ等に送信できるので、ユーザは、パーソナルコンピュータ等にＵＲＩ情報を手入力したりメモを取るといった手間から解放される。
【００１０】
前記抽出されたデータの記述により指定されたボタンがユーザによって操作されたときにＵＲＩ情報のデータを送信するようにしてもよい。
【００１１】
また、この発明のＵＲＩ転送システムは、上記構成のディジタル放送受信装置と情報処理装置とから成るＵＲＩ転送システムであって、前記情報処理装置は、前記ディジタル放送受信装置から送信されてきたＵＲＩ情報のデータを受信する受信手段と、受信したＵＲＩ情報のデータをメモリに記憶する記憶手段と、を備えていることを特徴とする。前記情報処理装置は、ネットワーク接続環境と、ＵＲＩ情報をネットワーク上に送出する手段と、ネットワークを介して受信したファイルを閲覧するための閲覧手段と、を備えていてもよい。
【００１２】
【発明の実施の形態】
以下、この発明の実施形態を図１乃至図７に基づいて説明するが、ここではＢＳ（Ｂｒｏａｄｃａｓｔｉｎｇ  Ｓａｔｅｌｌｉｔｅ）ディジタル放送を受信する構成を例示している。
【００１３】
図１はこの実施形態のＵＲＩ転送システムを構成するディジタル放送受信装置３０と情報処理装置５０の各々の外観を示した図であり、図２は上記装置３０・５０の内部構成の概略を示したブロック図であり、図３はディジタル放送受信装置３０の詳細な内部構成を示したブロック図である。図３において、アンテナ１は、屋外において所定の方向に向けて配置されており、ＢＳから送られてくるディジタル放送信号を受信する。このアンテナ１は一般に周波数変換器を備え、受信／周波数変換した信号をチューナ２に与える。
【００１４】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１５】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組表データ（番組名、番組開始時刻、番組内容情報、番組ジャンル情報等）等をＣＰＵ１３に供給し、データ放送データをＢＭＬブラウザ２０に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１６】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００１７】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００１８】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１９】
スケーラ／ＯＳＤ回路１２はブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示などが行えることになる。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２１】
ＵＲＩ送信機２１は、例えば、ｂｌｕｅｔｏｏｔｈやＩＥＥＥ８０２．１１ｘ（８０２．１１ａ、８０２．１１ｂ等）といった無線ＬＡＮ規格などに従って通信を行い、インターフェイス２２を介してＣＰＵ１３から受け取ったＵＲＩ情報を送信する。なお、図２にも示しているように、情報処理装置（パーソナルコンピュータ，ＰＤＡ，携帯電話等）５０側にも同規格のＵＲＩ受信機５１が設けられており、このＵＲＩ受信機５１は受信したＵＲＩ情報をインターフェイス５２を介してＣＰＵ５３に伝送する。ＣＰＵ５３は図示しないメモリにＵＲＩ情報を記憶（ブックマーク登録）する。
【００２２】
メモリ（例えば、ＲＡＭ、ＲＯＭ、ＥＥＰＲＯＭ、フラッシュメモリ等）１４には、ＥＰＧ画面を表示するためのガイド情報、ＣＰＵ１３がデータ放送データ中から抽出したＵＲＩ情報、データ送信関数を含む各種の関数やプログラム等が格納される。
【００２３】
ＣＰＵ１３は、このディジタル放送受信装置３０における全体制御を行うものであるが、特にこの発明にかかる処理として、以下に述べるごとく、ＵＲＩ情報の送信に係わる処理を実行する。
【００２４】
ＣＰＵ１３は、データ放送のＢＭＬ文書内で指示されたＵＲＩ送信関数を処理し、インターフェース２２を介してＵＲＩ送信機２１にＵＲＩ情報を送信する。具体的には、例えば、「事業者固有機能」の擬似ブラウザ関数として、Ｘ＿ｓＰｒｏｖｉｄｅｒＮａｍｅ  ＿ｓｅｎｄＵＲＩ（）という関数を保有する。当該関数は、ディジタル放送受信装置３０から情報処理装置５０にＵＲＩ（文字列）を転送するためのデータ送信関数である。
【００２５】
図４はディジタル放送受信装置３０側で行われる処理を示したフローチャートであり、ＢＭＬ文書内で実行されるＵＲＩ情報を送信する関数（Ｘ＿ｓＰｒｏｖｉｄｅｒＮａｍｅ  ＿ｓｅｎｄＵＲＩ）の処理を示したものである。ＣＰＵ１３（ブラウザ２０）は、データ放送において受信したＢＭＬ文書内にＵＲＩ情報の送信記述が存在する場合（ステップＳ１でＹＥＳ）、その第１引数をＵＲＩ情報として前記関数に与える（ステップＳ２）。受信装置３０の設定が自動送信設定であった場合（ステップＳ３でＹＥＳ）、そのままＵＲＩ情報を送信し（ステップＳ５）、自動送信設定でなければ（ステップＳ３でＮＯ）、ユーザに送信するかどうかを問い合わせてユーザにより所定のボタンが操作されたことを検出すると（ステップＳ４）、送信を実行する（ステップＳ５）。
【００２６】
リモコン送信機１０の青ボタンが操作された場合にＵＲＩ情報の送信を実行させるＢＭＬ記述例を下記に示す。また、Ｘ＿ｓＰｒｏｖｉｄｅｒＮａｍｅ  ＿ｓｅｎｄＵＲＩ（）を利用した洗濯機のＣＭ（コマーシャル）の一例を図５に示しており、視聴者はＣＭ画面下側の表示に従ってリモコン送信機１０の「青ボタン」を押すと、当該ＣＭのＵＲＩ情報を情報処理装置５０に送信することができる。
【００２７】
2005027143.tif 000003
【００２８】
図６はＵＲＩ情報の受信側であるネットワーク通信環境を備えた情報処理装置５０（ＵＲＩ受信サーバとして説明する）において行われる処理を示したフローチャートである。まず、ディジタル放送受信装置３０からＵＲＩ情報を受信した場合（ステップＳ１１でＹＥＳ）、ＵＲＩ受信サーバは図７（ａ）に示すようにＵＲＩを画面表示し、ブックマーク登録を行うかどうかを問い合わせる処理を行う（ステップＳ１２）。ユーザが「ブックマーク登録」のボタンをクリックすると（ステップＳ１３でＹＥＳ）、受信したＵＲＩ情報をブックマークに登録する処理を実行する（ステップＳ１４）。ここで、ブックマーク登録機能以外にＷＷＷブラウジング機能を持つこととする場合、図７（ａ）に示しているように、「閲覧」のボタンを表示しておき、ユーザによって当該ボタンがクリックされたときに、ＷＷＷブラウザが起動し、同図（ｂ）に示すごとく、当該ＵＲＩに基づくホームページの閲覧ができることになる。
【００２９】
【発明の効果】
以上説明したように、この発明によれば、ＵＲＩ情報のデータがディジタル放送受信装置から情報処理装置へ送信されるので、ユーザは手入力やメモ取りといった手間から解放される。ＵＲＩ情報が情報処理装置へ送信された後は当該情報処理装置を用いて何時でも閲覧が可能となる。閲覧内容であるコンテンツを提供する側では、例えばＨＴＭＬファイル資源を利用できることになる。
【図面の簡単な説明】
【図１】この発明の実施形態のＵＲＩ転送システムの外観構成を示したブロック図である。
【図２】この発明の実施形態のＵＲＩ転送システムの内部構成を示したブロック図である。
【図３】この発明の実施形態のディジタル放送受信装置を示したブロック図である。
【図４】この発明の実施形態のディジタル放送受信装置における処理内容を示したフローチャートである。
【図５】放送受信されたデータ放送の画面を例示した説明図である。
【図６】ＵＲＩ転送システムにおける情報処理装置の側で実行される処理内容を示したフローチャートである。
【図７】同図（ａ）（ｂ）は上記情報処理装置の画面表示例を示した説明図である。
【符号の説明】
１    アンテナ
２    チューナ
１３  ＣＰＵ
１４  メモリ
２１  ＵＲＩ送信機
３０  ディジタル放送受信装置
５０  情報処理装置
５１  ＵＲＩ受信機
【図１】
2005027143.tif 000004
【図２】
2005027143.tif 000005
【図３】
2005027143.tif 000006
【図４】
2005027143.tif 000007
【図５】
2005027143.tif 000008
【図６】
2005027143.tif 000009
【図７】
2005027143.tif 000010